(57)【要約】  【課題】  利用者が過去に再生したコンテンツを利用者の好みに応じて、再び容易に楽しむことができるようにする。  【解決手段】  コンテンツを再生する再生手段２０と、コンテンツ再生時に環境条件情報を取得する条件取得手段１９と、取得した環境条件情報をコンテンツと関連付けて記憶する記憶手段１３と、記憶されているコンテンツに関連付けられた環境条件情報をもとに再生を制御する制御手段１４とを備える。【選択図】  図１
2005122417.tif 000002
【特許請求の範囲】
【請求項１】
コンテンツを再生する再生手段と、現在の環境条件情報を取得する条件取得手段と、前記条件取得手段が取得した環境条件情報を前記コンテンツの再生時に前記コンテンツと関連付けて記憶する記憶手段と、前記記憶手段により記憶されているコンテンツに関連付けられた環境条件情報に基づいて再生するか否かを制御する制御手段とを備えたコンテンツ再生装置。
【請求項２】
前記制御手段は、前記条件取得手段により取得した現在の環境条件情報と、前記記憶手段により記憶されている過去の環境条件情報とを比較して一致している場合に、前記環境条件に関連付けられているコンテンツを再生することを特徴とする請求項１記載のコンテンツ再生装置。
【請求項３】
前記制御手段は、前記条件取得手段により取得した環境条件情報の各項目毎に、現在と過去の環境条件情報の一致度を判定して、一致度の高いほど再生するコンテンツの優先順位を高く決定することを特徴とする請求項２記載のコンテンツ再生装置。
【請求項４】
前記一致度の判定基準を利用者が各項目毎に設定する入力手段を備えたたことを特徴とする請求項３記載のコンテンツ再生装置。
【請求項５】
前記一致度の判定をするかしないか、またはコンテンツを再生するか否かを利用者が設定できるようにしたことを特徴とする請求項３または請求項４記載のコンテンツ再生装置。
【請求項６】
前記制御手段は、前記環境条件情報を地域または場所または施設毎に分類して分類情報を生成して前記環境条件情報に含めることを特徴とする請求項１ないし請求項５のいずれかに記載のコンテンツ再生装置。
【請求項７】
前記制御手段は、前記環境条件情報に利用者の生体情報を含めて記憶することを特徴とする請求項１ないし請求項６のいずれかに記載のコンテンツ再生装置。
【請求項８】
請求項１ないし請求項７のいずれかに記載のコンテンツ再生装置を備えたナビゲーションシ装置。
【請求項９】
現在の位置情報を取得する位置取得手段と、地図データおよびコンテンツを取得するコンテンツデータ取得手段と、取得した地図データを基に地図を表示するとともに、取得したコンテンツを再生する再生手段と、再生されたコンテンツを記憶するとともに、コンテンツ再生時の環境条件情報を記憶する記憶手段と、前記記憶手段により記憶されているコンテンツに関連付けられた環境条件情報に基づいてコンテンツを再生するか否かを制御する制御手段とを備えたナビゲーション装置。
【請求項１０】
現在の車速情報を取得する手段、現在の日時情報を取得する手段、現在の温度情報を取得する手段、現在の交通渋滞情報を取得する手段のうちの少なくとも１つを備え、前記各手段により得られた情報を環境条件情報とすることを特徴とする請求項９記載のナビゲーション装置。
【請求項１１】
前記コンテンツを外部から取得する通信手段を備えたことを特徴とする請求項９または請求項１０記載のナビゲーション装置。
【発明の詳細な説明】
【技術分野】
【０００１】
本発明は、音声コンテンツ、映像コンテンツ等を再生するコンテンツ再生装置およびコンテンツ再生装置を備えたナビゲーション装置に関するものである。
【背景技術】
【０００２】
従来、コンテンツ再生装置として、パソコンに接続したＣＤ−ＲＯＭ装置によって音声コンテンツと映像コンテンツとを同期して再生するように構成されたものが知られている（例えば、特許文献１参照）。利用者は、このようなコンテンツ再生装置を用いて、複数種類のコンテンツを同時に楽しむことができる。
【０００３】
また、ＧＰＳシステム等を利用して現在位置を取得し、その現在位置が含まれる地図データを読み出して、ディスプレイ上に現在位置を表示するナビゲーション装置が実用化されている。このようなナビゲーション装置では、大容量の地図データを利用するため、ＣＤ−ＲＯＭやＤＶＤ−ＲＯＭ等が記憶媒体として使用されており、これらのための駆動装置を利用して音楽ＣＤや映像ＤＶＤを再生するナビゲーション装置も知られている。
【特許文献１】特開平１０−１４３９７８号公報
【発明の開示】
【発明が解決しようとする課題】
【０００４】
しかしながら、従来のコンテンツ再生装置においては、世の中に多数存在するコンテンツに対して、利用者が毎回コンテンツを選択しなければならず、したがつて、利用者が過去に再生したコンテンツを後で容易に楽しむことができないという問題があった。
【０００５】
本発明は、上記従来の問題を解決するためになされたもので、利用者が過去に再生したコンテンツを利用者の好みに応じて、後で容易に楽しむことができるコンテンツ再生装置およびナビゲーション装置を提供することを目的とする。
【課題を解決するための手段】
【０００６】
本発明のコンテンツ再生装置は、コンテンツを再生する再生手段と、現在の環境条件情報を取得する条件取得手段と、前記条件取得手段が取得した環境条件情報を前記コンテンツの再生時に前記コンテンツと関連付けて記憶する記憶手段と、前記記憶手段により記憶されているコンテンツに関連付けられた環境条件情報に基づいて再生するか否かを制御する制御手段とを備えたものである。
【０００７】
この構成により、コンテンツが再生された時の環境条件情報がコンテンツと関連付けられて記憶されるため、利用者は、過去に再生したコンテンツを再び後で容易に楽しむことができる。
【０００８】
また、本発明のコンテンツ再生装置は、前記制御手段が、前記条件取得手段により取得した現在の環境条件情報と、前記記憶手段により記憶されている過去の環境条件情報とを比較して一致している場合に、前記環境条件に関連付けられているコンテンツを再生することを特徴とするものである。
【０００９】
この構成により、利用者が過去に再生したコンテンツが、利用者の現在の環境条件情報と一致する時に選択されるので、利用者は、同じ環境条件の場合に過去に再生したコンテンツを再び容易に楽しむことができる。
【００１０】
また、本発明のコンテンツ再生装置は、前記制御手段が、前記条件取得手段により取得した環境条件情報の各項目毎に、現在と過去の環境条件情報の一致度を判定して、一致度の高いほど再生するコンテンツの優先順位を高く決定することを特徴とするものである。
【００１１】
この構成により、利用者が過去に再生したコンテンツを、利用者の現在の環境条件情報と一致する割合が高いほど優先的に選択して再生することができる。
【００１２】
また、本発明のコンテンツ再生装置は、前記一致度の判定基準を利用者が各項目毎に設定する入力手段を備えたことを特徴とするものである。
【００１３】
この構成により、利用者は、好みに応じたコンテンツ再生が行われる可能性を高めることができる。例えば、利用者の運転中の車が渋滞に巻き込まれた場合、もし過去にその場所で再生されたコンテンツがあれば、そのコンテンツの再生することができる。
【００１４】
また、本発明のコンテンツ再生装置は、前記一致度の判定をするかしないか、またはコンテンツを再生するか否かを利用者が設定できるようにしたことを特徴とするものである。
【００１５】
この構成により、利用者は、好みに応じたコンテンツ再生が行われる可能性を高めることができる。例えば、利用者の運転中の車が渋滞に巻き込まれた場合、もし過去にその場所で再生されたコンテンツがあれば、そのコンテンツの再生が開始されるが、実際は、渋滞時のいらいらなどで、そのコンテンツは利用者にとって不快なものであるかもしれないので、その場合には再生しないように設定することができる。
【００１６】
また、本発明のコンテンツ再生装置は、前記制御手段が、前記環境条件情報を地域または場所または施設毎に分類して分類情報を生成して前記環境条件情報に含めることを特徴とするものである。
【００１７】
この構成により、「海岸」「遊園地」「デートスポット」などの分類情報をコンテンツに関連付けて記憶することができ、その分類情報を基にコンテンツを選択して再生することができる。
【００１８】
また、本発明のコンテンツ再生装置は、前記制御手段が、前記環境条件情報に利用者の生体情報を含めて記憶することを特徴とするものである。
【００１９】
この構成により、利用者の活動情報や感情状態などの生体情報を含めて記憶することができる。例えば、「デート」「家族旅行」「仮眠」などのコメントを付けておくことにより、利用者の生体情報を基に再生コンテンツを選択することができる。
【００２０】
また、本発明のナビゲーション装置は、上記したコンテンツ再生装置を備えたものである。
【００２１】
この構成により、ナビゲーション機能に加えて、利用者は、過去に再生したコンテンツを後で容易に楽しむことができる。
【００２２】
また、本発明のナビゲーション装置は、現在の位置情報を取得する位置取得手段と、地図データおよびコンテンツを取得するコンテンツデータ取得手段と、取得した地図データを基に地図を表示するとともに、取得したコンテンツを再生する再生手段と、再生されたコンテンツを記憶するとともに、コンテンツ再生時の環境条件情報を記憶する記憶手段と、前記記憶手段により記憶されているコンテンツに関連付けられた環境条件情報に基づいてコンテンツを再生するか否かを制御する制御手段とを備えたものである。
【００２３】
この構成により、ナビゲーション機能に加えて、利用者が過去に再生したコンテンツが、利用者の現在の環境条件情報と一致する時に選択されるので、利用者は、過去に再生したコンテンツを再び後で容易に楽しむことができる。
【００２４】
また、本発明のナビゲーション装置は、現在の車速情報を取得する手段、現在の日時情報を取得する手段、現在の温度情報を取得する手段、現在の交通渋滞情報を取得する手段のうちの少なくとも１つを備え、前記各手段により得られた情報を環境条件情報とすることを特徴とするものである。
【００２５】
この構成により、様々な環境条件情報を取得することができ、利用者の現在の環境条件情報と一致する時に過去に再生したコンテンツが選択されるので、利用者の趣向に合致したコンテンツを再び容易に楽しむことができる。
【００２６】
また、本発明のナビゲーション装置は、前記コンテンツを外部から取得する通信手段を備えたことを特徴とするものである。
【００２７】
この構成により、内部のコンテンツ取得手段によらずに、外部の装置から様々なコンテンツを取得することができる。
【００２８】
また、本発明における各手段については、ハードウェアまたはソフトウェアのどちらでも構成することができる。
【発明の効果】
【００２９】
本発明は、以上の構成を備えることにより、利用者が任意にコンテンツを再生した時、その再生時の環境条件情報が再生されたコンテンツと関連付けられて記憶されることとなり、利用者が過去に再生したコンテンツを後で容易に楽しむことができる。また、再び再生する際に、合致する環境条件情報の一致度判定基準または判定の有無またはコンテンツ再生有無を利用者があらかじめ設定可能なため、利用者が本当に求めているコンテンツが再生される可能性を高めることができる。
【発明を実施するための最良の形態】
【００３０】
以下、本発明の実施の形態について、図面を用いて説明する。図１は本発明の実施の形態におけるコンテンツ再生装置の構成を示している。このコンテンツ再生装置は、車両に載置されたナビゲーション装置として構成されている。コンテンツ再生装置１は、現在の自車位置をＧＰＳ（Global PoＳitioning ＳyＳtem）受信機から取得する位置取得手段２と、現在の車速を車速センサから取得する車速取得手段３と、現在の日時をタイマから取得する日時取得手段４と、現在の車室内温度を温度センサから取得する温度取得手段５と、現在の交通渋滞情報をＶＩＣＳ（Vehicle Information and Conmunication ＳyＳtem）受信機によりＶＩＣＳセンターから取得する交通状態取得手段６と、音声コンテンツを再生する音声再生手段７と、映像コンテンツを再生する映像再生手段８とを備えている。これらのうち、位置取得手段２、車速取得手段３、日時取得手段４、温度取得手段５、交通情報取得手段６により、現在の環境条件情報を取得する条件取得手段１９が構成され、音声再生手段７と映像再生手段８とにより、再生手段２０が構成される。なお、本装置の機能をコンテンツ再生からナビゲーションに切り換えることにより、音声再生手段７は、ナビゲーション機能における音声案内を行うことができ、映像再生手段８は、ナビゲーション機能における地図データを表示することができる。
【００３１】
コンテンツ再生装置１はまた、家庭などに設置された配信装置１５から仮想私設網（ＶＰＮ：Virtual Private Network）を介してコンテンツを取得する通信手段９と、メモリカードからコンテンツを取得するカードインタフエース手段１０と、利用者から各種情報が入力される入力手段１１と、光ディスクからコンテンツを取得する光ディスクインタフエース手段１２と、再生されたコンテンツを記憶するとともに、コンテンツ再生時の環境条件情報を記憶する記憶手段１３と、記憶手段１３により記憶されているコンテンツに関連付けられた環境条件情報をもとに再生を制御する制御手段１４とを備えている。これら通信手段９、カードインタフェース手段１０、入力手段１１、光ディスクインタフェース手段１２、記憶手段１３、記憶制御手段１４は、コンテンツ再生のみならず、ナビゲーション機能を実現するにも使用される。
【００３２】
入力手段１１は、遠隔操作装置、タッチパネル、音声入力装置などによって構成される。入力手段１１により、コンテンツに関連付けられるコメントが入力される。また、入力手段１１により、条件取得手段１９によって取得される環境条件情報について各項目毎に、現在と過去の一致度合いに対する係数が入力される。これによって、現在と過去の環境条件情報を比較する際、条件の一致度合いに対して重み付けを行うこととなる。例えば、同じ場所を運転中でも交通渋滞時に聞いていたいコンテンツを優先的に選択されるようにすることが可能である。
【００３３】
光ディスクインタフェース手段１２は、音楽や音声を記録した音声コンテンツ、静止画や動画を記録した映像コンテンツ、ナビゲーション用地図データなどを記録したＣＤやＤＶＤ等を再生する装置であり、コンテンツデータ取得手段を構成する。記憶手段１３はＲＯＭ、ＲＡＭ、フラッシュメモリ、ハードディスク等のメモリであり、これらに対し書き込み読み出しを行う装置を含む。制御手段１４は、各種の演算を行うマイクロプロセッサであり、記憶手段１３に記憶されたプログラムによって動作する。
【００３４】
配信装置１５は、コンテンツを記憶した記憶手段１６と、この記憶手段１６からコンテンツを取得する制御手段１７と、コンテンツ再生装置１と通信し、コンテンツ再生装置１から要求されたコンテンツをコンテンツ再生装置１に配信する通信手段１８とを備える。
【００３５】
条件取得手段１９が取得する現在の環境条件情報は、利用者が現在いる環境を示す情報である。図５は、環境条件情報がコンテンツに関連付けられて生成された環境条件情報テーブル５０の例を示す。図５において、コンテンツ情報５１には、コンテンツの名称、格納場所、取得方法がＵＲＬ（Uniform ReＳource Locator）として記録されている。位置情報５２には、コンテンツが再生された時の緯度と経度の数値が記録される。車速情報５３には、コンテンツが再生された時の車速値が記録される。日時情報５４には、コンテンツが再生された時の年月日と時刻が記録される。温度情報５５には、コンテンツが再生された時の車室内温度値が記録される。交通渋滞情報５６には、コンテンツが再生された時の交通渋滞情報の有無が記録される。なお、環境条件情報には、条件取得手段１９によって取得された現在の環境条件情報のみならず、制御手段１４によって分類された分類情報５７を含む。例えば、位置情報５２に基づいて、地図データを参照して分類された「海岸」、「遊園地」、「デートスポット」というような地域、場所、施設等を示す情報である。この分類情報５７は、さらに詳しく「湘南海岸」「後楽園遊園地」「お台場デートスポット」のように記録してもよい。コメント情報５８は、利用者によって入力手段１１から入力された利用者の活動情報や感情情報などの生体情報が記録される。例えば、「海岸」へは「Ｋと一緒」であったこと、「遊園地」には「家族旅行」で行ったこと、「デートスポット」には「Ｙと一緒」などと記録される。
【００３６】
また、コメント情報５１には、このコンテンツを再生するか否かを利用者が入力手段１１を用いて設定する再生有無チェック欄５１ａが設けられている。例えば、利用者がコンテンツＡについては興味がなくなったので、再生する必要はないが、記録としては残しておきたい場合は、コンテンツＡを削除する代わりに、コンテンツＡのコンテンツ情報５１の再生有無チェック欄５１ａをチェックしておく。また、位置情報５２から渋滞情報５６には、現在と過去の環境条件情報の一致度を判定する基準を利用者が設定する判定基準設定欄５２ａ〜５６ａおよび各環境条件情報を判定の際に使用するか否かを利用者が設定する判定有無チェック欄５２ｂ〜５６ｂが設けられている。なお、位置情報５２は、入力手段１１から入力された目的地情報や、地図情報を参照して得られた経路情報を含む。さらに、コンテンツ情報５１には、ディジタルデータで取得したディジタルコンテンツ、およびアナログデータで取得してディジタルデータに変換して生成したディジタルコンテンツが含まれる。
【００３７】
次に、本実施の形態におけるコンテンツ再生装置１の動作について説明する。位置取得手段２は、車両に設けられたＧＰＳアンテナを介してＧＰＳ衛星から受信した信号や、車速手段３である車速センサからの車速情報、方位を取得する方位センサからの方位情報、および記憶手段１３または光ディスクインタフェース手段１２を通じた光ディスクあるいはカードインタフェース手段１０を通じてメモリカードから取得した地図情報に基づいて、現在の位置を算出する。
【００３８】
制御手段１４は、音声再生手段７または映像再生手段８でコンテンツが再生される時に、位置取得手段２が取得した自車の現在位置情報、車速取得手段３が取得した現在の車速情報、日時取得手段４が取得した現在の日時情報、温度取得手段５が取得した車両内の温度情報、交通情報取得手段６が取得した現在の交通渋滞情報を取得し、これらの条件取得手段１９が取得した環境条件情報を、音声再生手段７または映像再生手段８で再生されるコンテンツに関連付けて記憶手段１３に記憶させる。記憶手段１３はまた、制御手段１４によってコンテンツに関連付けられた分類情報やコメント情報が記憶される。なお、制御手段１４は、音声コンテンツと映像コンテンツとが同時に再生された時、音声コンテンツと映像コンテンツとを同期して記憶手段１３に記憶させる。
【００３９】
次に、制御手段１４は、条件取得手段１９により取得される環境条件情報の各項目毎に、現在と過去の環境条件情報の一致度を判定して、再生するコンテンツの優先順位を決定し、記憶手段１３に記憶させる。例えば、制御手段１４により、デフォルトで、全ての環境条件情報の一致度判定基準を±１０％と設定している場合、過去にあるコンテンツを再生した時の温度情報が２０度、現在の温度情報が１９度である時、温度情報に関しての一致／不一致を決定する閾値は、２０度×（１００％±１０％）＝１８度、２２度となる。この場合、現在の温度情報が１９度の場合、１８度から２２度の間にあるため、一致と判定される。その他の環境条件情報に関しても同様の判定を行い、一致した環境条件情報の数の多いコンテンツから順に優先順位が決定される。そして再生時には、決定された優先順位に従ってコンテンツが選択される。
【００４０】
また、制御手段１４は、利用者によって入力手段１１により入力された環境条件情報の一致度判定基準に従い、現在と過去の環境条件情報の一致度を判定して、再生するコンテンツの優先度を決定し、記憶手段１３に記憶する。すなわち、図５の判定基準設定欄５２ａ〜５６ａに利用者によって所望の値が設定される。例えば、温度情報５５に関する判定基準設定欄５５ａに、利用者によって入力手段１１から±５０％が設定入力された場合、過去にあるコンテンツを再生した時の温度情報が２０度であった場合、現在の温度情報に関して、１０度から３０度までの間であれば、一致と判定される。これにより、利用者は温度情報に関して一致と判定される可能性を高めることができ、温度情報に関して優先的にコンテンツが選択されるようにすることができる。
【００４１】
また、制御手段１４は、利用者から入力手段１１により入力された環境条件情報の、現在と過去の一致度の判定の有無に従い、環境条件の一致度の判定の有無を決定する。すなわち、図５の判定有無チェック欄５２ｂ〜５６ｂに利用者によって任意の値が設定される。例えば、判定有無チェック欄５２ｂ〜５６ｂに、利用者によって入力手段１１から位置情報５２に関する一致度の判定について、「無（判定を行わない）」と設定された場合、位置情報について現在と過去の一致度の判定を行わないようにすることができる。これにより、利用者は、不要な環境条件情報に対する判定を行わせなくすることができ、本当に求めているコンテンツの再生される可能性を高めることができる。
【００４２】
次に、本実施の形態における過去のコンテンツ再生時の環境条件情報の記憶について、図２のフローチャートを用いて説明する。図２において、まず、利用者によって選択されたコンテンツが再生される（Ｓ２０１）。具体的には、入力手段１１において、コンテンツの選択指示が入力され、映像再生手段８によって映像コンテンツが再生されるとともに、音声再生手段７によって音声コンテンツが再生される。なお、再生するコンテンツは、通信手段９、カードインタフエース手段１０、光ディスクインタフエース手段１２によって取得される。また、記憶手段１３に記憶されたコンテンツが制御手段１４によって取得されてもよい。
【００４３】
次いで過去のコンテンツ再生時に、その時の環境条件が取得される（Ｓ２０２）。具体的には、位置取得手段２によって、緯度および経度を含む現在の位置情報が取得され、日時取得手段４によって、年月日時分秒を含む現在の日時が取得される。また、車速取得手段３によって、その時の車速情報が取得され、温度取得手段５によって、その時の温度情報が取得され、交通渋滞情報取得手段６によって、その時の交通渋滞情報が取得される。
【００４４】
次に、取得された環境条件情報が、再生されているコンテンツと関連付けられて記憶手段１３に記憶される（Ｓ２０３）。ここでの環境条件情報は、取得された環境条件情報のみを記憶するのではなく、制御手段１４によって生成された分類情報も含めた形でコンテンツと関連付け、記憶手段１３に記憶される。また、利用者によって入力手段１１からコメント情報が入力された場合には、入力されたコメント情報も含めた形でコンテンツと関連付けて記憶手段１３に記憶される。
【００４５】
図３は本実施の形態の再再生時における環境条件情報毎の現在と過去の一致度合いに対する係数の設定についての処理を示すフローチャートである。図３において、利用者から入力手段１１によって一致度の判定を行うか否かの判定有無チェックが各環境条件毎に設定される（Ｓ２０４）。その後、判定有りと設定された環境条件情報に対する一致度判定基準が設定される（Ｓ２０５）。ここで設定された一致度判定基準に従って、制御手段１４は、現在と過去の環境条件情報の一致度を判定して、再生するコンテンツの優先順位を決定し、決定した優先順位に従ってコンテンツを選択する。
【００４６】
図４は本実施の形態における現在の環境条件情報が過去の環境条件情報に適合した時のコンテンツの再生についての処理を示すフローチャートである。図４において、まず初めに一定の周期で現在の環境条件情報が取得される（Ｓ３０１）。具体的には、位置取得手段２によって、緯度および経度を含む現在の位置情報が取得され、日時取得手段４によって、年月日時分秒を含む現在の日時情報が取得される。また、車速取得手段３によって現在の車速情報が取得され、温度取得手段５によって現在の温度情報が取得され、交通渋滞情報取得手段６によって現在の交通渋滞情報が取得される。
【００４７】
次に、一致度の判定有りと利用者によって設定された環境条件情報について、取得された現在の環境条件情報と記憶手段１３に記憶された過去の環境条件情報とが、制御手段１４によって、利用者が設定した各種環境条件情報に対する一致度判定基準に従って一致度が判定され、現在の環境条件に適合するコンテンツの有無が判定されるとともに優先順位が決定される（Ｓ３０２、Ｓ３０３、Ｓ３０４）。
【００４８】
現在の環境条件に適合するコンテンツがある場合には、制御手段１４によって、決定された優先順位に従ってコンテンツが選択され、音声コンテンツが音声再生手段７によって再生され、映像コンテンツが映像再生手段８によって再生される（Ｓ３０５、Ｓ３０６、Ｓ３０７、Ｓ３０８）。
【００４９】
なお、再生時には、制御手段１４が、環境条件情報を地域または場所または施設毎に分類して生成した分類情報に基づいて再生するコンテンツを選択することができる。例えば、「海岸」「遊園地」「デートスポット」などの分類情報から所望のものを選択することにより、それに関連付けられたコンテンツを再生することができる。
【００５０】
また、再生時には、利用者が設定したコメント情報に基づいて再生するコンテンツを選択することができる。例えば、「デート」「家族旅行」「仮眠」などのコメント情報から所望のものを選択することにより、それに関連付けられたコンテンツを再生することができる。
【００５１】
以上のように、本実施の形態によれば、車両に裁置され、現在の位置情報を取得する位置取得手段２と、現在の車速を取得する車速取得手段３と、現在の日時を取得する日時取得手段４と、現在の車室内の温度を取得する温度取得手段５と、現在の交通渋滞情報を取得する交通状態取得手段６と、音声コンテンツを再生する音声再生手段７と、映像コンテンツを再生する映像再生手段８と、家庭などに設置された配信装置１５から仮想私設網ＶＰＮを介してコンテンツを取得する通信手段９と、メモリカードからコンテンツを取得するカードインタフエース手段１０と、利用者から各種情報が入力される入力手段１１と、光ディスクからコンテンツを取得する光ディスクインタフエース手段１２と、再生されたコンテンツを記憶するとともに、コンテンツ再生時の環境条件情報を記憶する記憶手段１３と、記憶手段１３により記憶されているコンテンツに関連付けられた環境条件情報をもとに再生を制御する制御手段１４とを備え、制御手段１４が、条件取得手段１９により取得される環境条件情顔の各項目毎に、現在と過去の環境条件情報の一致度を判定して、再生するコンテンツの優先順位を決定し、決定した優先順位に従ってコンテンツを選択し、また、利用者によって入力手段１１より入力された環境条件情報の一致度判定基準、また一致度判定の有無に従い、現在と過去の環境条件情報の一致度を判定して、再生するコンテンツの優先順位を決定し、決定した優先順位に従ってコンテンツを選択する。以上により、過去に利用者が任意に選択してコンテンツを再生した時、その時の環境条件情報が再生されたコンテンツと関連付けられて記憶されることとなり、現在の環境条件が過去の環境条件と同様な条件になると、過去に再生したコンテンツを現在において再び容易に楽しむことができる。また、現在において再び再生する際、合致する環境条件の一致度判定基準を利用者があらかじめ設定可能なため、または判定の有無もしくはコンテンツ再生有無を利用者があらかじめ設定可能なため、利用者が本当に求めているコンテンツが再生される可能性を高めることができる。
【産業上の利用可能性】
【００５２】
本発明のコンテンツ再生装置は、利用者が過去に再生したコンテンツを後で容易に楽しむことができ、利用者が本当に求めているコンテンツが再生される可能性を高めることができるという効果を有し、音声コンテンツ、映像コンテンツ等を再生する装置等への適用に有用である。
【図面の簡単な説明】
【００５３】
【図１】本発明の実施の形態におけるコンテンツ再生装置のブロック図
【図２】本発明の実施の形態の過去におけるコンテンツ再生時の動作説明のためのフロー図
【図３】本発明の実施の形態における環境条件設定時の動作説明のためのフロー図
【図４】本発明の実施の形態の現在におけるコンテンツ再生時の動作説明のためのフロー図
【図５】本発明の実施の形態における環境条件情報テーブルの例を示す模式図
【符号の説明】
【００５４】
１  コンテンツ再生装置
２  位置取得手段
３  車速取得手段
４  日時取得手段
５  温度取得手段
６  交通渋滞情報取得手段
７  音声再生手段
８  映像再生手段
９  通信手段
１０  カードインタフエース手段
１１  入力手段
１２  光ディスクインタフエース手段
１３  記憶手段
１４  制御手段
１５  配信装置
１９  条件取得手段
２０  再生手段
【図１】
2005122417.tif 000003
【図２】
2005122417.tif 000004
【図３】
2005122417.tif 000005
【図４】
2005122417.tif 000006
【図５】
2005122417.tif 000007